Podtech/llm-jp-corpus-v4-ja_patent huggingface dataset:
(57)【要約】【課題】回転運動を得るためのエネルギー源として、自然環境に優しく常に安定性のある「重力」のみを利用した回転運動発生装置を提供する。【解決手段】自重によって生み出された回転力(トルク)を利用して抵抗(壁など)を駆け上がり、回転軸と抵抗(壁など)との距離を変化させることで重心をスライド移動させ、強制的に重量の不均衡を作り出すことで、持続した回転運動を得られることを特徴とする。【選択図】図６
2015212529.tif 000002
【特許請求の範囲】
【請求項１】
重心の移動をスムーズに行えるように、固定ウイング(５)と移動ウイング(１〜４)との間にスライド装置(３)を設けた回転運動発生装置。
【請求項２】
請求項１に加えて、回転軸(６)との距離が狭まるように抵抗(７)を設置し、そこを車輪(１)が駆け上がることで重心を強制移動させる回転運動発生装置。
【請求項３】
ストッパー(４)を設けることで、最下点で車輪(１)が抵抗(７)に接触する際の衝撃を和らげる効果を備えた回転運動発生装置。
【発明の詳細な説明】
【技術分野】
【０００１】
本発明は、重心をスライド移動させることで、強制的に作り出した重量の不均衡を利用した回転運動発生装置に関するものである。
【背景技術】
【０００２】
回転運動を利用した発電のうち、化石燃料を用いてタービンを回す方式のものの問題点として、燃料自給率の低さ・燃料が枯渇性・自然環境への悪影響・設備の危険性などが挙げられる。
【０００３】
回転運動を利用した発電のうち、水力を用いたものの問題点として、施設設置場所が限定的・自然界への悪影響などが挙げられる。
【０００４】
回転運動を利用した発電のうち、風力を用いたものの問題点として、風況に  左右されるため出力が不安定・設置場所が限定的・鳥類への悪影響などが挙げられる。
【先行技術文献】
【特許文献】
【０００５】
【特許文献１】特開平０８−０６１２１４号公報
【特許文献２】特開２０１３−１６４０６０号公報
【発明の概要】
【発明が解決しようとする課題】
【０００６】
解決しようとする問題点は、回転運動を得るためのエネルギー源が、使用するにあたって様々な問題を発生するという点である。
【課題を解決するための手段】
【０００７】
本発明は、エネルギー源として、自然環境に優しく２４時間３６５日常に安定性のある「重力」のみを用いることが最大の特徴である。
【発明の効果】
【０００８】
本発明の回転装置は、地球上で得られる自然エネルギーの中でも最も安定性のある「重力」のみを利用していて、それ故に設置場所を選ばず自然界に与える影響が少ない。
【０００９】
この装置を発電目的に使用した場合、地産地消が可能となるため、大規模な送電網が不要となるだけでなく、供給地と消費地との地域間問題も解消されることが期待できる。
【図面の簡単な説明】
【００１０】
【図１】図１は、重心をスライド移動させることで強制的に「重量の不均衡」を作り出す原理を示した説明図である。（実施例１）
【図２】図２は、動作原理を表すもので、図１の次点を示した説明図である。（実施例１）
【図３】図３は、動作原理を表すもので、図２の次点を示した説明図である。（実施例１）
【図４】図４は、動作原理を表すもので、図３の次点を示した説明図である。（実施例１）
【図５】図５は、動作原理を表すもので、図４の次点を示した説明図である。（実施例１）
【図６】図６は、図１〜５の原理を用いて安定した回転運動を得られるように、ウイングを３枚にした場合の動作イメージを示した説明図である。（実施例２）
【図７】図７は、図６の斜視図である。（車輪などは省略）
【発明を実施するための形態】
【００１１】
重心の移動によって生じる重量の不均衡を利用して、重力が存在する地球上のどこでも、安定した回転運動を得られることが実現した。
【実施例１】
【００１２】
図１〜５は、本発明の基本となる動作原理を時間経過ごとに示した図である。固定ウイングは回転軸に固定されている。移動ウイングは固定ウイングとスライド装置によって接続されているためスムーズにスライド移動することができる。
【００１３】
重量の不均衡により片側が落下を始め、図１〜３と進むにつれて勢いを増していく。
【００１４】
図３で、車輪が抵抗(壁など)に接触し、落下速度(回転速度)を利用して駆け上がっていく。
【００１５】
図３〜５で、回転軸と抵抗(壁など)との距離が縮まっていくことで、移動ウイングがスムーズにスライド移動していく。
【００１６】
完全にスライド移動した時(図１)には、重量の不均衡が出来上がっているため、再び落下し、回転が継続される。
【実施例２】
【００１７】
図６は、回転軸に３つのウイングをそれぞれ異なる角度で取り付けた場合の動作イメージである。
【００１８】
ウイング１つでは安定した回転が得られないため、複数にすることで回転速度を安定させ、かつ回転力(トルク)を増幅させることができる。
【産業上の利用可能性】
【００１９】
発電装置としての利用価値があり、設置場所を選ばないという特性から、基幹電源としての利用以外にも簡易電源・非常電源などの目的として、需要元の建物内または建物に隣接する形で設置することが可能である。
【００２０】
動作を開始すれば装置が故障するまで動き続けるという特性から、発電目的として使用した場合、夜間などに大量の余剰電力が発生する。そのため一つの工場建屋に発電施設と植物工場を併設して、余剰電力を利用しての工場栽培を行うことができる。
【００２１】
移動ウイングの主要部分に木材を使用することで、間伐材を有効活用することができ、林業の復活・再生が期待できる。
【００２２】
車輪の代替品として乗用車などの廃タイヤを使用することで、廃タイヤをそのまま再利用でき、産業廃棄物の低減が期待できる。
【符号の説明】
【００２３】
１        車輪
２        ウエイト
３        スライド装置
４        ストッパー
１〜４    移動ウイング
５        固定ウイング
６        回転軸
７        抵抗(壁など)
【図１】
2015212529.tif 000003
【図２】
2015212529.tif 000004
【図３】
2015212529.tif 000005
【図４】
2015212529.tif 000006
【図５】
2015212529.tif 000007
【図６】
2015212529.tif 000008
【図７】
2015212529.tif 000009
(57)【要約】【課題】汗ばんだ膝及び膝上にズボンがまとわり付くことを防止する。【解決手段】ズボン１と着用者の膝との間に配置される通気性のある離反素材からなる離反具である。離反具は右足用離反具２と左足用離反具３から成る。ホック又は面ファスナーを備えズボンの内側に着脱可能な組み付け部を有し、前記組み付け部は、それぞれズボンの胴側前部、ズボンの前部開き部に沿った部分、ズボンの前部開き部より下方でかつズボンの足部の幅方向外端部に、互いに間隔を置いて設けた複数の組み付け部に組み付けられて、着用者の左右の膝及び膝上をズボンから離反させる。【選択図】図１
2015221958.tif 000002
【特許請求の範囲】
【請求項１】
ズボンの前部裏側に組み付けて、ズボンと着用者の膝及び膝上が直接接触するのを防止するためズボンと着用者の膝及び膝上の間に配置される通気性のある離反具であって、
ホック又は面ファスナーを備えズボンの内側に着脱可能な組み付け部を有し、
前記組み付け部は、それぞれズボンの胴側前部、ズボンの前部開き部に沿った部分、ズボンの前部開き部より下方でかつズボンの足部の幅方向外端部に、互いに間隔を置いて設けた複数の組み付け部に組み付けられて、着用者の左右の膝及び膝上をズボンから離反させる離反具。
【発明の詳細な説明】
【技術分野】
【０００１】
本発明は、ズボンに組み付ける離反具であって、離反具をズボンとの間に設置することによりズボンと膝及び膝上を離反する離反具に関する。
【背景技術】
【０００２】
例えば、真夏に太陽光を浴びながら仕事をしなくてはならない場合がある。そのような場合、じとっと汗ばんだ体で屈んだり、しゃがんだり、梯子を上るために足を上げる時等、ズボンが膝及び膝上にまとわり付いて、ズボンをたくし上げないとその動作が出来ない、または動作がし難い。
このような不都合を回避するために、従来から男性であればステテコをはくことはよく知られている。ズボンの下にステテコなどの下ばきを穿けば、汗ばんだ体であってもある程度不具合を解消することが出来る。しかし、その暑さを押して作業を行わなければならない者にとって、下ばきを穿かなければならないということは、耐え難いことがある。
【発明の概要】
【発明が解決しようとする課題】
【０００３】
本発明は、上記従来の問題に鑑みてなされたものであって、その目的は、汗ばんだ膝及び膝上にズボンがまとわり付くことを防止する離反具を提供することである。
【課題を解決するための手段】
【０００４】
本発明は、ズボンの前部裏側に組み付けて、ズボンと着用者の膝及び膝上が直接接触するのを防止するためズボンと着用者の膝及び膝上の間に配置される通気性のある離反具であって、ホック又は面ファスナーを備えズボンの内側に着脱可能な組み付け部を有し、前記組み付け部は、それぞれズボンの胴側前部、ズボンの前部開き部に沿った部分、ズボンの前部開き部より下方でかつズボンの足部の幅方向外端部に、互いに間隔を置いて設けた複数の組み付け部に組み付けられて、着用者の左右の膝及び膝上をズボンから離反させる離反具である。
【発明の効果】
【０００５】
本発明によれば、汗ばんだ膝及び膝上にズボンがまとわり付くことを防止できる離反具を提供することができる。
【図面の簡単な説明】
【０００６】
【図１】本実施形態に係る離反具を装着するズボンを裏返しにして示した正面図である。
【図２】ズボンの右足部分に装着する離反具の正面図である。
【図３】ズボンの左足部分に装着する離反具の正面図である。
【発明を実施するための形態】
【０００７】
本発明の離反具の実施形態について図面を参照して説明する。
図１は、本実施形態に係る離反具を組み付けるズボンを裏返しにして示した正面図であり、図２、３はズボンの左右の足部分に装着する離反具の正面図である。
図１において、ズボン１には、離反具の複数の組み付け位置（本発明の組み付け部に対応する）６ａ〜６ｆ、７ａ〜７ｆが示されている。
【０００８】
ここで、組み付け位置６ａ〜６ｆはズボン１の右足側、７ａ〜７ｆは左足側に配置されている。即ち、組み付け位置６ａ〜６ｃ、７ａ〜７ｃは、ズボン１の胴回り前側で左右側端部から正面に沿ってそれぞれ所定の間隔で配置されている。
また、組み付け位置６ｄ、６ｅ、７ｄ、７ｅは、それぞれズボン１の左右の前開き部分に沿って配置されており、組み付け位置６ｆ、７ｆは、それぞれズボン１の左右の足部分の左右端部分近傍に配置されている。
【０００９】
ズボン１の左右の足部分に装着する離反具２、３は、図２、図３に示すように、左右対称形状であるから、ここでは、図２に示す右足用の離反具２について説明し、図３に示す左足用の離反具３についてはその説明を援用する。
即ち、離反具２は、図示のように縦長の離反素材からなり、上縁にはズボン１の胴回りの組み付け位置６ａ〜６ｃに対応した組み付け位置８ａ〜８ｃが配置されている。同様にズボンの右足の前開部分の右足側の組み付け位置６ｅ、６ｄに対応して、組み付け位置８ｄ、８ｅが配置されており、さらに、ズボン１の右足側の前開き部分の位置よりも下側にその組み付け位置６ｆに対応して組み付け位置８ｆが配置されている。
【００１０】
この組み付け位置の配置構成は、図３に示すズボン１の左足用の離反具３においても、左右対称の位置に配置されている。
離反具２は、ズボン１の内側に装着した状態で、ズボン１の着用者の膝及び膝上とズボン１との間に介在するように縦長形状を有している。
【００１１】
ここで、左右の離反具２、３をズボン１の裏側に取り付けるときは、ズボン１と左右の離反具２、３のそれぞれの組み付け位置で、例えば、縫製により分離不能に組み付けることができる。また、ホック又は面ファスナー等の係脱可能な周知の固定手段を用いることで着脱可能に組み付けることもできる。
なお、本離反具２、３は、膝及び膝上とズボンとの間に離反素材をぶら下げれば、その機能を発揮させることが出来る。しかしズボンをはく時、又は小用を足す時のことを考えると、膝及び膝上とズボンとの離反素材の上辺をズボンに固着する必要が有り、また、小用を足す時に違和感の無い様に、ズボン１の右足側の前開き部分の周辺も固着の必要が有る。
【００１２】
その他の離反素材の固着箇所は、その離反素材がまるまることが無い程度の箇所を固着する必要が有り、本実施形態の主眼とする膝及び膝上とズボンとの間に設置する離反具は、ズボンと離反性の高い素材と通気性の高い素材である。
本実施形態に係る離反具を備えたズボンを着用したときは、ズボンの膝及び膝上へのまとわり付きを回避することができる。
【符号の説明】
【００１３】
１・・・ズボン、２・・・右足用離反具、３・・・左足用離反具、６ａ〜６ｆ・・・右足側におけるズボンの離反具の組み付け位置、７ａ〜７ｆ・・・左足側におけるズボンの離反具の組み付け位置、８ａ〜８ｆ・・・右足側の離反具のズボンへの組み付け位置、９ａ〜９ｆ・・・左足側の離反具のズボンへの組み付け位置。
【図１】
2015221958.tif 000003
【図２】
2015221958.tif 000004
【図３】
2015221958.tif 000005
(57)【要約】【課題】ペットなどの動物の爪を切る際に、神経や血管を切らないよう安全に丁度良い爪の長さに切る事、また毎回同じ爪の長さに切ることを目的とする。【解決手段】全体の構造として、メジャー２の先端に穴の開いた板と、メジャー２が丁度入る空洞状のボディー５の上部に動物の爪切りが付いている構造である。実際の使用方法としては、穴１の中に動物の爪を通し、動物の爪の付け根を穴１の部分にセットする。メジャー２の長さを設定することで、穴１の開いた板から爪切り刃までの距離を設定し、動物の爪先が爪切り刃３をはみ出した部分を切断する。よって動物の爪を何センチ残して切断するかを可能としている。爪切り自体は従来の使用方法と同じである。【選択図】図１
2015221029.tif 000002
【特許請求の範囲】
【請求項１】
穴の開いた板と、その板から爪切り刃の距離を測定できるメジャーを有し、穴の開いた板と爪切り刃の距離を変化させる手段を有することを特徴とするペット用長さ調節爪切り。
【請求項２】
穴の開いた板と爪切り刃の距離を固定する手段を有することを特徴とする請求項１記載のペット用長さ調節爪切り。
【請求項３】
爪切り刃に対してメジャーを左右どちら側からも挿入可能とすることを特徴とする請求項１又は２に記載のペット用長さ調節爪切り。
【発明の詳細な説明】
【技術分野】
【０００１】
本発明は、動物の爪を切る際、神経や血管まで切ってしまわないように長さを調節しながら切ることができる道具に関する。
【背景技術】
【０００２】
動物の爪の根元には神経や血管が通っている。その為、ペットなどの動物の爪を切る事は素人には難しく動物病院などで切ってもらうことが一般的である。また従来のペット用爪切りでは、爪に光を当てることで血管を肉眼で見えるようにし、神経や血管を切らないように構成されている。しかしそれでも肉眼を頼りに爪を切る事となり神経や血管を切ってしまうリスクがある。
【先行技術文献】
【特許文献】
【０００３】
【特許文献１】特許公開２００６−６２９４号公報
【発明の概要】
【発明が解決しようとする課題】
【０００４】
本発明は、以上のような従来の欠点に鑑み、肉眼やカンだけを頼りにすることなく、動物の爪を安全に丁度良い長さに切る爪切りを提供することを目的としている。
【課題を解決するための手段】
【０００５】
本発明は、穴の開いた板１２とメジャー２、メジャーを挿入することができる空洞状のボディ５と動物用の爪切りからなっている。
【０００６】
メジャー２の先端に穴１の開いた板１２を取り付けてあり、その際は溶接か接着またはネジ、ボルトで取り付ける事が好ましく、穴１は円型や四角型や楕円型が好ましい。メジャー２を挿入する空洞状のボディ５の上部に、動物の爪切りを取り付けるが、この際も溶接か接着またはネジやボルトで固定することが好ましい。メジャー２と穴１の開いた板１２とメジャーを挿入する空洞状のボディ５の素材はステンレス、銀、プラスチックが好ましい。
【０００７】
空洞状のボディ５の横にメジャーを固定するネジ４のある構造。メジャーを固定するネジ４はステンレス、銀、鉄、プラスチックがよい。
【０００８】
実際の使用方法としては、穴１の中に動物の爪を通し、動物の爪の付け根を穴１の部分にセットする。メジャー２の長さを設定することで、穴１の開いた板１２から爪切り刃までの距離を設定し、動物の爪先が爪切り刃３をはみ出した部分を切断する。よって動物の爪を何センチ残して切断するかを可能としている。爪切り自体は従来の使用方法と同じである。
【０００９】
爪切り刃に対してメジャーを左右どちら側からも挿入可能とすることから、メジャー２を爪切り刃に対して左側にセッティングした場合には右利きで使用でき、メジャー２を爪切り刃に対して右側にセッティングした場合では左利きで使用できる。
【００１０】
メジャー２の長さの調節は、右手で使用する場合は８の位置の数値を見る。左手で使用する場合は１０の位置の数値を見る。
【００１１】
穴１の開いた板１２から爪切り刃までの距離を変化することができる為、現在の爪の長さを計測することができる。穴１の開いた板１２から爪切り刃までの距離をなるべく開いた状態で、穴１に動物の爪の付け根をセットする。そして爪切り刃を閉じた状態で、穴１の開いた板１２から爪切り刃までの距離を徐々に縮めていく。爪の先端が爪切り刃にぶつかる状態まで距離を縮めていき、その時のメジャー２の長さが爪の長さである。爪の長さを測るメリットとしては、動物病院などで爪を切った後の長さが最適な長さと考えた場合に、その直後に爪の長さを測ることで今後爪を何センチ残して切る必要があるのか、メジャー２の長さをどの程度にすればよいかが分かるメリットがある。
【００１２】
メジャー２を固定するネジ４を締めることで、メジャー２がボディ部５の内部で圧迫される為、メジャー２の長さを固定できる。メジャー２を固定することで、動物の爪を切る際にメジャー２の長さがずれることなく動物の爪を切断できる。また一度切る爪の長さを決めてしまえば、成熟した動物であれば大きく変化することがないので、メジャー２を固定することで、毎回メジャー２の数値を設定する手間が少なくなる。
【発明の効果】
【００１３】
本発明は、メジャーの数値を設定することで、動物の爪の付け根をセットする穴１から爪切り刃の距離を設定できる為、動物の爪を何センチ残して切断するかが可能である。またメジャーの数値を固定できる為、残す爪の長さがずれることなく切ることが可能であり、また毎回同じ長さに切る事ができる。爪の長さを測ることができる為、動物病院などで爪を切った後に爪の長さを計測することで、動物の爪を何センチ残して切るか、最適な長さが分かる。よって動物の爪を切る際に神経や血管を切らないように爪を切れるので、動物を傷つけることが少ない。
【図面の簡単な説明】
【００１４】
【図１】本発明の右手で使用する場合のペット用長さ調節爪切りの全体図である。
【図２】本発明の右手で使用する場合の上部から見た図である。
【図３】本発明の右手で使用する場合の実際の使用時の図である。
【図４】本発明を二つのパーツに分解した状態である。
【図５】本発明を左手で使用する場合の全体図である。
【発明を実施するための形態】
【００１５】
メジャー２の先端に、アルミ素材の穴の開いた板を接着している。そのメジャー２が丁度入るステンレス素材の空洞状のボディ５の上部に市販のペット用爪切りを接着している。ボディ部５の側部にステンレス素材のネジを取り付けた形態である。
【符号の説明】
【００１６】
１  動物の爪の付け根をセットする穴
２  メジャー
３  爪切りの刃
４  メジャーを固定するネジ
５  メジャーを挿入することができる空洞状のボディ
６  メジャーが入る入り口
７  メジャーの先端で数値は0cmではなく８から９の長さの数値
８  残したい爪の長さにメジャーの数値を合わせる位置
９  爪が切れる位置
１０  左手で使用する際に、残したい爪の長さにメジャーの数値を合わせる位置
１１  動物の爪
１２  穴の開いた板
【図４】
2015221029.tif 000003
【図１】
2015221029.tif 000004
【図２】
2015221029.tif 000005
【図３】
2015221029.tif 000006
【図５】
2015221029.tif 000007
(57)【要約】【課題】2015221189.tif 000010【解決手段】2015221189.tif 000011面部に間隔調節可能にする貫通穴設けた弾力性のあるストッパーを左右に設けたことを特徴とする下向き防止具。【選択図】図３
2015221189.tif 000002
【特許請求の範囲】
【請求項１】
2015221189.tif 000009
面部に間隔調節可能にする貫通穴設けた弾力性のあるストッパーを左右に設けたことを特徴とする下向き防止具。
【発明の詳細な説明】
【技術分野】
【０００１】
2015221189.tif 000003
携帯電話使用中の事故防止に関するものである。
【背景技術】
【０００２】従来、歩行時の携帯電話使用中、顔が深く下向きになる状態を防ぐ補助具はなかった
【発明の開示】
【発明が解決しようとする課題】
【０００３】そのために、次のような問題点があった。
（イ）歩行中携帯電話等を使用するとき、顔が深く下向きになり前方の視野が狭くなり大変危険である。
本発明は、これらの問題点を解決するためになされたものである。
【課題を解決するための手段】
【０００４】
2015221189.tif 000004
前面部にクッション性を保持する長さのあるストッパーを左右に設けた。以上を特徴とする下向き防止具である。
【発明の効果】
【０００５】
2015221189.tif 000005
が胸と接触して顔が深く下向きになる姿勢を防止できる。前方の視野を広く確保でき極めて安全である。
ストツパーを左右自在にスライドさせ自分の顎の位置に調節できる。
【発明を実施するための最良の形態】
【０００６】以下、本発明の実施の形態について説明する。
2015221189.tif 000006
（４）を設ける。
2015221189.tif 000007
を首に装着し使用する。顔が下向きになるとバンドと共にストッパーの下部が胸と接触し顔が深く下向きの姿勢になることを防止する。
左右のストッパーの間隔があることによりネクタイ等衣服えの障害も少ない。左右の紐通し穴（３）に紐を通し輪にすることにより首に下げることもできる。又、飾り装着穴（４）に好みの飾りを装着でき、貫通穴（５）により左右のストッパーの間隔を調節できる。
【実施例１】
【０００７】図４に示すように、バンドを前方から首に装着する。顔が深く下向きになろうとしてもストッパーが胸と接触し顔が深く下向きになる姿勢を防止できる。前方の視野が確保され極めて安全である。
【図面の簡単な説明】
【０００８】
【図１】本発明の平面図
【図２】本発明の側面図
【図３】本発明を首に装着しストッパーの下部が胸と接触して顔が深く下向きになるのを防止する例を示す実施例
【符号の説明】
【０００９】
2015221189.tif 000008
２  ストッパー
３  紐通し穴
４  飾り装着穴
５  貫通穴
【図１】
2015221189.tif 000012
【図２】
2015221189.tif 000013
【図３】
2015221189.tif 000014
(57)【要約】      （修正有）【課題】積層手段に積層される造形材が粘度不足などにより、たれを発生することなく、３次元造形体を効率よく形成する装置の提供。【解決手段】造形材４を積層して３次元造形体を形成する３次元積層造形装置１０において、造形材４を供給する供給ヘッド１と、造形層５を支持する支持テーブル３と、供給ヘッド１から供給される造形材４を繰り返し積層して造形層５を形成する造形層形成手段２と、造形層５形成時に造形材４を増粘する温調手段６を造形層形成手段２に設けたことを特徴とする３次元積層造形装置。【選択図】図１
2015193125.tif 000002
【特許請求の範囲】
【請求項１】
造形材を積層して３次元造形体を形成する３次元積層造形装置において、造形材を供給する供給ヘッドと、造形層を支持する支持テーブルと、前記供給ヘッドから供給される前記造形材を繰り返し積層して前記造形層を形成する造形層形成手段と、前記造形層形成時に前記造形材を増粘する温調手段を前記造形層形成手段に設けたことを特徴とする３次元積層造形装置。
【発明の詳細な説明】
【技術分野】
【０００１】
本発明は、造形装置及び造形方法に関するものである。
【背景技術】
【０００２】
従来の３次元積層造形装置として、積層して３次元造形体を形成する造形材を所定の厚みで供給する造形材供給手段と、造形材供給手段から供給される造形材を繰り返し積層して造形層を形成する造形面と平行な回転軸を中心に回転する積層手段と、積層手段に設けられた造形テーブル上の造形材の新たな造形層に３次元形状の断面データをもとに造形材の硬化領域を繰り返し形成する断面形状形成手段とからなることを特徴とする３次元積層造形装置がある（特許文献１を参照）。
【０００３】
しかしながら、当該特許文献に記載の装置においては、まだ、改良の余地がある。すなわち、当該装置においては、積層手段に積層される造形材を加熱溶融する溶融手段が積層手段と別体に設けられていることにより、造形材の粘度調整不良が発生し、その結果、積層造形がうまくいかない虞がある。
【先行技術文献】
【特許文献】
【０００４】
【特許文献１】特開２００５−５９３２４号公報
【発明の概要】
【発明が解決しようとする課題】
【０００５】
解決しようとする問題点は、積層手段に積層される造形材が粘度不足などにより、たれが発生し、好適に積層造形できない点である。
【課題を解決するための手段】
【０００６】
本発明は、積層手段に積層される造形材を加熱または冷却することで増粘もしくはゲル化する粘度調整手段を積層手段に設けることを主要な特徴とする。
【発明の効果】
【０００７】
本発明の造形装置は、積層手段に供給される造形材を加熱または冷却することで増粘もしくはゲル化する粘度調整手段を積層手段に設けたため、造形材を積層手段上で増粘することが可能となり、積層手段に積層される造形材が好適に積層造形できるという利点がある。
【図面の簡単な説明】
【０００８】
【図１】図１は本発明の造形装置の実施例を示した正面図である。
【図２】図２は本発明の造形装置の実施例を示した側面図である。
【図３】図３は本発明の造形装置の実施例の変形例を示した説明図である。
【発明を実施するための形態】
【実施例１】
【０００９】
本発明の実施の形態について図面を参照して詳細に説明する。図１において、本実施例の造形装置１０は、積層して３次元造形体を形成する対象物としての造形材４（ 熱可塑性インク、光硬化性インク等からなる常温では半固体、又は、固体である固体材 ）を供給する造形材供給手段である供給ヘッド１と、前記供給ヘッド１から供給される前記造形材４を繰り返し積層して造形層５を形成するローラ２と、造形層５を支持する支持テーブル３、ローラ２に内蔵されローラ２表面の温度調整を行う温調装置６、ローラ２を回転させるモータ７から構成されている。
【００１０】
支持テーブル３は、Ｘ方向（紙面の左右方向）及びＺ方向（紙面の上下方向）に移動可能に構成されている。ローラ２は、モータ７の回転により時計方向に回転する。供給ヘッド１は、造形装置１０上部に固定して設けられている。供給ヘッド１には造形材吐出ノズルが設けられている。造形材４は、各ポジションのノズルから適宜吐出され、ローラ２上に滴下される。
【００１１】
以上の構成からなる造形装置１０において、造形体が形成される工程を説明する。予め決められたポジションのノズルから造形材４が適宜吐出され、ローラ２上に造形材４が滴下する。ローラ２には、ローラ２表面の温度調整を行う温調装置６が設けられており、ローラ２が回転する途中で、滴下された造形材４は増粘される。ローラ２の回転と同期して、支持テーブル３がＸプラス方向（紙面の右方向）に移動することにより、図２のように支持テーブル３上に造形層５が順次形成される。
【００１２】
第１層分の造形層５が形成された後、支持テーブル３はローラ２に付着した造形材４が第１層分の造形層５に干渉しない所定の高さだけＺマイナス方向に下降し、Ｘマイナス方向（紙面の左方向）の原位置まで移動する。
【００１３】
支持テーブル３は原位置に移動後、第２層が形成される高さまでＺプラス方向に上昇するとともに、Ｘプラス方向（紙面の右方向）に移動する。ノズルから造形材４が適宜吐出され、滴下された造形材４はローラ２上で増粘され、ローラ２の回転、支持テーブル３がＸプラス方向（紙面の右方向）に移動することにより、第２層の造形層５が形成される。以上の動作を繰り返すことにより、造形層５が順次形成される。
【００１４】
このように、造形層形成手段であるローラ２に供給される造形材を加熱溶融して増粘する温調装置６をローラ２に内蔵することにより、造形材４を適切に増粘することが可能となり、好適に積層造形が可能となる。  
【００１５】
なお、本実施例においては、供給ヘッド１を造形装置１０上部に固定し、ローラ２が回転し、支持テーブル３をＸ方向及びＺ方向に移動可能な構成としたが、供給ヘッド１及びローラ２がＸ方向及びＺ方向に移動可能とし、支持テーブル３を固定する構成としてもよい。
【実施例２】
【００１６】
図３の実施例は、２種類の造形材４を滴下する造形装置１０である。図３のように本実施例においては、供給ヘッド１が２個設けられ、それぞれの供給ヘッド１のノズルから異なる２種類の造形材４がローラ２に滴下される。その他の構成は、実施例１と同じ構成である。このような構成により、２種類の造形材４を一度に供給することが可能となり、より効率的な造形体の形成が可能となる。
【産業上の利用可能性】
【００１７】
積層手段に積層される造形材が好適に積層造形できる。
【符号の説明】
【００１８】
１    供給ヘッド
２    ローラ
３    支持テーブル
４    造形材
５    造形層
６    温調装置
７    モータ
１０    造形装置
【図１】
2015193125.tif 000003
【図２】
2015193125.tif 000004
【図３】
2015193125.tif 000005
(57)【要約】      （修正有）【課題】チップコンデンサ等の電子部品を安定して内蔵することができる樹脂封止型の半導体装置を提供する。【解決手段】一方の主面に溝５が形成され、かつ溝５の内部に吸着電極６が形成された基板３と、基板３の一方の主面に接合される電子部品１とをはんだ等の接合材８により接合して内蔵している。また、基板３の他方の主面は、２つのインナーリード９の一方の主面の間に渡されて接合されている。インナーリード９上に基板３を搭載しているので、インナーリード９から伝わる応力を電子部品１に伝えず、基板３で吸収することができる。さらに電子部品１は基板３上に搭載され、基板３に溝５と吸着電極６があるので、リフロー時に、はみ出した接合材８を吸収し保持することができる。これにより、洗浄工程を不要とし、後工程ではみ出した接合材８が落下する悪影響を防止する。【選択図】図１
2015141999.tif 000002
【特許請求の範囲】
【請求項１】
電子部品を内蔵する半導体装置において、一方の主面に溝が形成され、かつ前記溝の内部に吸着電極が形成された基板と、前記基板の一方の主面に接合される前記電子部品と、前記基板と前記電子部品を接合材により接合されたことを特徴とする半導体装置。
【請求項２】
前記基板の他方の主面は、２つのインナーリードの一方の主面の間に渡されて接合されていることを特徴とする請求項１に記載の半導体装置。
【発明の詳細な説明】
【技術分野】
【０００１】
本発明は、半導体装置に関し、特に電子部品を内蔵して構成された樹脂封止型半導体装置に関する。
【背景技術】
【０００２】
一般的に、電源ノイズによる誤動作を防止するために、チップコンデンサを内蔵している半導体装置が知られている。たとえば、特許文献１には、インナーリード間にコンデンサを設けている半導体装置が開示されている。
【０００３】
また、特許文献２には、ベース基板を用いて、チップコンデンサが実装される半導体装置が開示されている。ベース基板の電極間に溝をつくり、この溝ではんだリフロー時に生成されるはんだボールが入り込んで、電極間の短絡を防止している。
【先行技術文献】
【特許文献】
【０００４】
【特許文献１】特開昭６１−１５２０５２号公報（図１）
【特許文献２】特開平０５−３２６８２６号公報（図１、図３）
【発明の概要】
【発明が解決しようとする課題】
【０００５】
一般的に、半導体装置にチップコンデンサや基板を内蔵する構造は、多数構造が知られている。
【０００６】
しかしながら、従来技術は、インナーリード間に直接チップコンデンサを設けているため、インナーリードの変形応力が、チップコンデンサに直接加わり、チップコンデンサが破損するという課題がある。
【０００７】
また、チップコンデンサを基板に実装する場合、リフロー時に発生するはんだボールが、基板の溝に入り込んでいるだけであるため、洗浄工程が必要になったり、後工程ではんだボールが落下し、他の半導体部品に付着し、悪影響をおよぼすという課題がある。
【０００８】
従って、本発明は、上述した課題を解決するためになされたものであり、電子部品（チップコンデンサ）をインナーリード間に設け、インナーリードの応力や、接合（リフロー）時に発生するはんだボールの影響を受けない半導体装置を提供することを目的とする。
【課題を解決するための手段】
【０００９】
上述の課題を解決するために、本発明は、以下に掲げる構成とした。
本発明の樹脂封止型半導体装置は、一方の主面に溝が形成され、かつ溝の内部に吸着電極が形成された基板と、基板の一方の主面に接合される電子部品とを接合材により接合し内蔵している。また、基板の他方の主面は、２つのインナーリードの一方の主面の間に渡されて接合されている。
【発明の効果】
【００１０】
本発明は、内蔵する電子部品を基板に搭載し、基板をインナーリード間に接合している。基板を備えているので、インナーリードから伝わる応力を抑制する。また、基板に溝と吸着電極を備えているので、接合した時に発生するはんだボールを吸着して保持する。よって、インナーリードの応力や、接合時のはんだボールの影響を受けない半導体装置を提供することができる。
【図面の簡単な説明】
【００１１】
【図１】本発明の実施例１に係る半導体装置の要部断面図である。
【発明を実施するための形態】
【００１２】
以下、本発明を実施するための形態について、図を参照して詳細に説明する。ただし、本発明は以下の記載に何ら限定されるものではない。
【実施例１】
【００１３】
本発明の実施例１に係る半導体装置を説明する。図１は、本発明の実施例１に係る半導体装置の要部断面図である。要部とは、半導体装置の内部構造において、インナーリードに電子部品を搭載する部位である。
【００１４】
図１に示すように、半導体装置の腰部は、電子部品１は、基板３を介して、２つのインナーリード９の間に渡して接合している。
【００１５】
電子部品１は、断面が方形状で両端に電子部品電極２をもっている。例えば、電子部品1は、チップコンデンサである。
【００１６】
基板３は、両端に基板電極４を持っている。また、基板電極４の間に溝部５が形成されている。さらに溝部５に吸着電極６を備えている。例えば、基板３は、樹脂基板である。また、電極は銅めっき等であり、基板電極４と吸着電極６を同時につくることができる。
【００１７】
電子部品１と基板３とインナーリード９は、接合材８で接合されている。例えば、接合材８は、はんだであり、リフロー接合に用いる。
【００１８】
次に、上述の実施例１に係る半導体装置の効果を説明する。
【００１９】
本発明の実施例１に係る半導体装置は、インナーリード上に基板を搭載しているので、インナーリードから伝わる応力を電子部品に伝えず、基板で吸収することができる。さらに電子部品は基板上に搭載され、基板に溝と吸着電極があるので、接合（リフロー）時に、はみ出した接合材を吸収し保持することができる。これにより、洗浄工程を不要とし、後工程ではみ出した接合材（はんだボール）が落下する悪影響を防止することができる。
【００２０】
上述のように、本発明を実施するための形態を記載したが、この開示から当業者には様々な代替実施の形態、実施例が可能であることが明らかになるはずである。
【００２１】
また、変形例としては、基板３の吸着電極６には基板を貫通すようにスルーホール電極７としてもよい。これにより、ホールの中にはみ出したはんだを吸収し、強固に保持することができる。
【符号の説明】
【００２２】
１、電子部品（チップコンデンサ）
２、電子部品電極
３、基板
４、基板電極
５、溝部
６、吸着電極
７、スルーホール電極
８、接合材
９、インナーリード
【図１】
2015141999.tif 000003
(57)【要約】【課題】電波を用いた距離測定器において、電波の放射部にアンテナを用いている。このアンテナは大きく、同一測定器を隣接して設置しにくく、また、ビームを集束させるのに長い距離を必要とする。【解決手段】電波の放射部に誘電体導波路を用いることにより、放射部を細くできるので同一の測定器を隣接しやすい。また、ビームを集束させる距離も短くできる。【選択図】図１
2015141195.tif 000002
【特許請求の範囲】
【請求項１】
誘電体導波路の端部を検知部とした距離測定装置
【請求項２】
誘電体導波路の端部を凹面にした請求項１の距離測定装置
【請求項３】
被測定体からの反射波の位相角を基準値と比較することによる請求項１、２の距離測定装置
【請求項４】
複数の誘電体導波路間の電磁波干渉を低減化した、複数の該端部を有する請求項１、２、３の距離測定装置
【発明の詳細な説明】
【発明の詳細な説明】
【技術分野】
【０００１】電波や光を用いた距離測定分野
【背景技術】
【特許文献】
【０００２】なし
【非特許文献】
【０００３】レーダーや光レーダーなど、電波や光を被測定物に照射し、この反射波を受信し、距離や方位を測定する技術が本発明の背景技術である。
【発明の開示】
【発明が開示しようとする課題】
【０００４】電波や光を用いると離れたところの被測定物の距離を非接触で測定できる。そして音波を用いる場合とは違って、温度の影響を受けにくく、風の影響を受けにくいなどの特長がある。また、電波の場合は、プラスチックや石材など電波の通り易い物が測定器と被測定物の間に有っても測定できる。なお、火災現場など炎の向うの物体までの距離も測定できる。しかし、レーダーの場合、電波を放射及び受信するためにアンテナや電波レンズが必要である。なお、これらを用いると、装置及びその周辺が大きくなる。測定器と被測定物までに一定の距離が必要となるなどの問題点がある。
【課題を解決するための手段】
【０００５】電波や光を放射する手段として、電波の場合は誘電体導波路を用いる。光の場合は誘電体導波路を用いるが、それを特別に光ファイバーと言っている。そして、それらの端部から電波や光を放射し、被測定物からの反射波や反射光を受信する。なお、放射または受信の一方を別の誘電体導波路や光ファイバー、または別な手段を用いてもよい。このようにすると、アンテナやレンズなど大きなものが不要になる。また、誘電体導波路も光ファイバーも比誘電率（屈折率ｎ＝√比誘電率（εｒ）が１．５〜６と１よりも大きいので、照射口径を波長よりも１／１．５〜１／６倍に小さくできる。また焦点距離という概念がないので誘電体導波路端を被測定物の近傍まで近づけることができる。なお、誘電体導波路端部の形状を凹面にすれば、照射後の電波や光の拡がりを集束する方向に持っていくことができる。
【発明を実施するための最良の形態】
【実施例】
【０００６】ダンボール箱に入ったヨーグルトパックのヨーグルト充填量検査ラインを図１に示す。ベルトコンベアの上をダンボール箱は右から左に流れている。２４ＧＨｚ発振器１からの出力は同軸ケーブルで方向性結合器２−１を通過し、ＩＱミキサー３のローカル（ＬＯ）に行く。なお、分離した出力は方向性結合器２−２を通って誘電体導波路５に行く。また、同軸ケーブルを通ってきた２４ＧＨｚはランチャー４で誘電体導波路に変換される。誘電体導波路はＥ面が４ｍｍ、Ｈ面が８ｍｍである。誘電体導波路５の端部から２４ＧＨｚは容易に放射し、電波となってダンボール６を通過する。誘電体導波路５がもしも金属導波管であったならば、２４ＧＨｚは放射できないので、ラッパ状のホーンアンテナを取付けて放射させなければならない。この様にすると電波は太くなってしまい、Ｙ軸上の分解能が低下してしまう。ダンボールを通過した２４ＧＨｚは、ヨーグルトパックの上蓋も通過し、ヨーグルト上面１０で反射し、誘電体導波路５の端部から侵入し、方向性結合器２−２でＩＱミキサー３のＲＦ部に行く。そしてＩ及びＱ信号として出力し、ローカル（ＬＯ）との位相差が計算式を用いて算出される。この位相差から、あらかじめ定めた基準値９との差としてΔＬが求まる。基準値９からΔＬ下がったライン１０が測定値で、基準値よりもヨーグルトの量がΔＬ少ないことがわかった。電波方式の距離測定器を用いるとダンボールの下のしかもヨーグルトパックの上蓋の下のヨーグルトのレベルを測定できる。誘電体導波路を用いると電波が出易い。しかも電波はＥ面４ｍｍ、Ｈ面８ｍｍの細いところから放出させるので、ビームが細く、Ｙ軸上の分解能が高く取れる。なお、誘電体導波路を用いると全体を細くできるので距離測定器を複数台横に並べることができる。横に並べると２４ＧＨｚが互いに少し干渉したので距離測定器間に電波吸収シートを置くと干渉は防止できることがわかった。このように複数台横に並べると複数列入ったヨーグルトを同時に検査できる。なお、内容物は電波を反射するものなら何でもよい。【０００７】  誘電体導波路の端部を凹面状に加工した状況を図２に示した。誘電体導波路の短径が４ｍｍでこの短径方向が電界方向である。長径が８ｍｍでこの長径方向が磁界方向である。この端部の中央部を１ｍｍ削り、凹面状にしたところ電波は集束状態１２になり、端部から１０ｍｍ程度で集束し、また、少しずつ拡散する。この様に凹面状にすることにより、電波のスポット径を波長近くまで小さくすることができる。
【図面の簡単な説明】
【図１】距離測定装置
【図２】端部が凹面になった誘電体導波路
【符号の説明】    １      ：  発振器
２−１、２−２  ：  方向性結合器
３      ：  ＩＱミキサー
４      ：  ランチャー
５      ：  誘電体導波路
６      ：  ダンボール
７      ：  ヨーグルトパック
８      ：  測定結果
９      ：  標準ライン
１０    ：  ヨーグルトの不足ライン
１１    ：  誘電体導波路端部の凹面
１２    ：  電波の集束
【図１】
2015141195.tif 000003
【図２】
2015141195.tif 000004
(57)【要約】【課題】  マスクを使うとき、耳掛け部を耳に掛けないで、メガネのつるの部分に設けた掛止部に装着できるようにしたマスク掛止部つきメガネを提供する。【解決手段】  メガネ１のつる２，２’の部分に、掛止部３，３’を設けたことを特徴とする。【選択図】図１
2015064540.tif 000002
【特許請求の範囲】
【請求項１】
メガネ１のつる２，２’の部分に、掛止部３，３’を設けたことを特徴とするマスク掛止部つきメガネ。
【請求項２】
掛止部３，３’に接着剤をつけ、メガネ１のつる２，２’の部分と掛止部３，３’を接着した、請求項１のマスク掛止部つきメガネ。
【発明の詳細な説明】
【技術分野】
【０００１】  本発明は、マスクの耳掛け部を耳に掛けないで装着できるようにした、マスク掛止部つきメガネに関するものである。
【背景技術】
【０００２】  従来、メガネは、つるの部分を耳に掛けて装着するものである。
【発明の概要】
【発明が解決しようとする課題】
【０００３】  マスクを長時間装着すると、耳掛け部が耳に接触し、耳が痛くなることがあった。
本発明は、以上のような欠点をなくすためになされたものである。
【課題を解決するための手段】
【０００４】  メガネ１のつる２，２’の部分に、掛止部３，３’を設ける。
本発明は、以上の構成よりなるマスク掛止部つきメガネである。
【発明の効果】
【０００５】  本発明のメガネにマスクを引っ掛けて止めることで、マスクが耳に接触しなくなり、耳が痛くなることがなくなる。
【図面の簡単な説明】
【０００６】
【図１】  本発明の斜視図である。
【図２】  本発明の平面図である。
【発明を実施するための形態】
【０００７】  以下、本発明を実施するための形態について説明する。
メガネ１のつる２，２’の部分に、マスク本体４の耳掛け部を掛止できる形状を備えた掛止部３，３’を設ける。
本発明は、以上のような構造である。
本発明を使用するときは、メガネのマスク掛止部に、マスクの耳掛け部を掛止する。
【符号の説明】
【０００８】  １  メガネ
２，２’  つる
３，３’  掛止部
４  マスク
【図１】
2015064540.tif 000003
【図２】
2015064540.tif 000004
(57)【要約】【課題】  老化による顔の筋肉の改善。【解決手段】  クロルゾキザゾンを、エタノールに溶解して、生理食塩水にとかして、綿、すなわちコットンなどで、顔に塗り込む。【選択図】図１
2015137276.tif 000002
【特許請求の範囲】
【請求項１】
１．５−ｃｈｌｏｒｏ−３Ｈ−ｂｅｎｚｏｏｘａｚｏｌ−２−ｏｎｅ（Ｃ７Ｈ４ＣｌＮＯ２）を、２．エタノールの水溶液に溶解し、３．精製水に食塩を溶かした、４．生理食塩水で、５．調整した、６．水溶液から成る、７．溶液。
【発明の詳細な説明】
【技術分野】
【０００１】  本発明は、歳を取ってからの顔の変化を抑えるための技術に属する。
【背景技術】
【０００２】  従来は、低分子化したコラーゲンの溶液や、微粒子の含有したパウダーを、顔に塗っていた。【０００３】  また、金属のローラを、顔に当てて、顔の表面を撫でたり、手でマッサージを行ったりしている。【０００４】  また、外科的手術を行ったりして、老化とみなされる所見を、排除している。【０００５】  外科的手術とは、皮膚を持ち上げたり、シリコンを入れたり、自分の細胞を移植したりである。【０００６】  しかし、コラーゲンよる皮膚の弾力や保水性の改善は、効果のあることが証明されているが、持続性の問題も残されていたり、コラーゲンがどこで消滅しているかなど、不明な点が多い。
【発明の開示】
【発明が解決しようとする課題】
【０００７】  本発明が解決しようとする課題は、老眼にみられるように、老化が進み、疲労により顔が、こわばり易くなることが原因で、顔の表面に起こる顔の変形を治す為の方法を探すことにある。【０００８】  そこで、筋肉のたるみに注目した。
【課題を解決するための手段】
【０００９】  筋肉のたるみは、クロルゾキザゾンで緩和されることはよく知られている。【００１０】  肩こりの改善に利用されているクロルゾキザゾンを、溶解化して、水溶液化し、顔の筋肉に直接、塗布できるようにしてみた。【００１１】  そのためには、クロルゾキザゾン、すなわち、ＩＵＰＡＣ名が５−ｃｈｌｏｒｏ−３Ｈ−ｂｅｎｚｏｏｘａｚｏｌ−２−ｏｎｅ（Ｃ７Ｈ４ＣｌＮＯ２）の物質を、エタノール水溶液にとかし、精製水にとかした食塩の水溶液とブレンドして、溶液化して、塗りやすくしたり、お酒のブランデーで溶解して、溶液化する。【００１２】  食塩水溶液を使用するのは、生理食塩水化する為である。
【発明の効果】
【００１３】  本発明（請求項１）は、クロルゾキザゾン３００ｍｇを、２０ｍｌのエタノール含有の生理食塩水に溶解して、行った結果である本発明は、本発明を顔にコットンなどで塗布することで、顔を支えている筋肉のこわばりが改善し、こわばりにより皮膚を支える力が低下した筋肉の状態を改善することができ、ついでに、目と目の周りに点滴、または、塗布することにより、遠視が改善するという効果も得た。
【発明を実施するための最良の形態】
【００１４】  本発明（請求項１）においては、クロルゾキザゾンを、エタノールに溶解して、生理食塩水にとかして、綿、すなわちコットンなどで、顔に塗り込むことで、効果が得られた。【００１５】  また、最終製品が単純な組成と成ることで、余計なものが入っていないかをも、調べ易くすることを、発明を実施するための最良の形態とした。
【実施例】
【００１６】  図１、は、クロルゾキザゾンの構造式である。
【産業上の利用可能性】
【００１７】  本発明（請求項１）は、老化現象により、顔の若々しさが低下した場合、本発明により、外観から見て、筋肉の弛み感が改善して、若々しい顔が復元出来き、これらの結果から、産業上の利用の可能性は、否定できない。【００１８】  また、成分も単純で単価が安いが、多量に使用されているので、使用の制限はある程度考慮する必要（１人当たり年何グラム以内とか）がある。
【図面の簡単な説明】
【００１９】
【図１】  発明の主成分。
【符号の説明】
【００２０】１．炭素
２．窒素
３．酸素
４．塩素
５．水素
６．パイ結合
７．シグマ結合
【図１】
2015137276.tif 000003
(57)【要約】【課題】サッシ下枠の凸レールを無くして雨水排水障害を無くし、サッシ下枠の掃除を簡単にできる下枠にして、枠と障子が嵌合し、障子が自在に走行するサッシの構造【解決手段】図４において１の凸レールの無い下枠にガイドレールとなる垂下片２と障子垂直立上り編片３及びサッシ上枠６及び上桟７の部材において障子を人力で持ち上げ嵌合させた状態を長方形回転軸５を内蔵した戸車をセットキー１１で、長方形回転軸５を回転させて嵌合の状態を保持し、障子を自在に走行させるサッシの構造【選択図】図４
2015137536.tif 000002
【特許請求の範囲】
【請求項１】
サッシの下枠構造において垂下片をガイドレールとした、凸レールの無いサッシ下枠構造
【請求項２】
凸レールの無いサッシ下枠構造において垂下片ガイドレールと障子垂直立ち上げ片を人力で持ち上げて嵌合させ、枠と障子の嵌合を保持する長方形回転軸を持つ戸車により自在に走行するサッシの構造
【請求項３】
垂下片ガイドレールと障子垂直立上げ片の嵌合を保持する長方形回転軸を持つ戸車の構造
【請求項４】
長方形軸を回転させて嵌合を保持する戸車により、障子のはずれ止めと自在に走行する戸車の構造
【請求項５】
垂下片ガイドレールと障子垂直立上げ片を嵌合させた場合の接触を防止し軌道を一定に保つためのモヘアの取り付け構造
【請求項６】
障子たて枠にブラシを取り付けて戸車の走行部分を掃除する障子の構造
【発明の詳細な説明】
【技術分野】
【０００１】  本発明は、引違いサッシ下枠垂下片に障子下側垂直立上げ片を人力で持ち上げて枠と障子を嵌合させた状態を保持する長方形回転軸を持つ戸車で自在に走行する凸レールの無い引違いサッシ構造。
【背景技術】
【０００２】  従来の引違いサッシは、下枠凸レール上を建具に装着された戸車で走行しており、その凸レールが掃除や排水の障害となっている。この凸レールを無くして、障子を走行をさせる仕組み提供する引違いサッシの構造を提供する。【０００３】  サッシ下枠に掃除の障害となる凸レールの無い構造は、凸レールと凹型戸車に変わる仕組みを構築しなければならないが、それに代わる下枠垂下片と障子下側に垂直立上げ片を形成して、人力で持ち上げ嵌合させたサッシ枠と障子の状態を保持する長方形回転軸を持つ戸車を用いて、自在に走行させる仕組みを構築する技術の考案が、今回の発明である。
【発明の概要】
【発明が解決しようとする課題】
【０００４】  本発明は、サッシ凸レールが、雨水排出障害となっている状態の凸レールをサッシ下枠から無くし、掃除のしやすいサッシ枠と障子が、人力で持ち上げて嵌合され、その状態を保持する長方形回転時を持つ戸車を用いて一定の位置を走行自在できる仕組みのサッシ構造を提供することを目的としている。
【課題を解決するための手段】
【０００５】  本発明は、サッシ凸レールを無くしても建具が走行自在にできる仕組みを構築するための手段としてサッシ下枠に垂下片ガイドレール、障子下側に垂直に立上げ片を設け人力で嵌合されたサッシ枠と障子の嵌合を保持し、障子が垂下片ガイドレールに沿って自在に走行することを特徴とする。
【発明の効果】
【０００６】  本発明の凸レールのないサッシは、掃除を簡単にできる上に、サッシの製造組立において部材が少なく、建付け後の障子が外れにくく安全で、美的なサッシが提供できる効果がある。
【図面の簡単な説明】
【０００７】
【図１】図１は本発明の凸レールの無いサッシ下枠平面図
【図２】図２は本発明の凸レールの無いサッシ下枠断面図
【図３】図３は本発明の枠と障子の嵌合前断面図
【図４】図４は本発明の枠と障子の嵌合を保持している状態の断面図
【図５】図５は本発明の嵌合を保持する長方形回転軸を持つ戸車の姿図２面
【図６】図６は本発明の嵌合を保持する長方形回転軸で保持している状態の姿図２面
【図７】図７は本発明の長方形回転軸と回転させるセットキーの姿図と断面図
【図８】図８は本発明の戸車走行路を清掃するブラシを取り付けた障子縦断図
【発明を実施するための形態】
【０００８】  本発明の第１の実施形態は、図１平面図、図２断面図に示すように凸レールが無く垂下片ガイドレール２を持つ下枠１と垂直に立ち上がる片３を持つ障子を人力で嵌合させて、その状態を保持する長方形回転軸５を持つ戸車によって、障子を走行自在にする図４のサッシの構成形態
【０００９】  本発明の第１の実施形態は、従来の戸車を挟み包んで、長方形回転軸を内蔵し軸を回転させて障子が嵌合された高い位置、障子が取り外せる低い位置を保持しその保持によって枠と障子の外れ防止と戸車で自在走行を可能にする図４のサッシの構造形態
【００１０】  本発明の第１の実施形態は、図８の１３ブラシの清掃により戸車の走行路をきれいに保つサッシ構造の形態
【符号の説明】
【００１１】  １      凸レールなしサッシ枠
２      垂下片ガイドレール
３      障子垂直立上げ片
４      モヘア
５      長方形回転軸
６      サッシ上枠
７      障子上桟
８      長方形回転軸軸を内蔵する戸車カバー
９      従来の戸車
１０    従来の調整戸車調整ネジ
１１    長方形回転軸セットキー
１２    掃除ブラシ
１３    障子建枠
【図１】
2015137536.tif 000003
【図２】
2015137536.tif 000004
【図３】
2015137536.tif 000005
【図４】
2015137536.tif 000006
【図５】
2015137536.tif 000007
【図６】
2015137536.tif 000008
【図７】
2015137536.tif 000009
【図８】
2015137536.tif 000010